(57)【要約】【課題】一度に複数本の筒状膜エレメントを仕切板ごと取り外す必要なく容易に交換でき、筒状膜エレメントそれぞれの仕切板に対する水密状態を簡単に確保できる膜濾過装置を提供すること。【解決手段】濾過槽内を原水室と処理水室に区画する仕切板２の膜挿入口２１に、処理水室側に開口５１ｂを有し上端に係止用鍔部５３を有する筒状膜エレメント５が挿入設置され、原水が処理水として処理水室内に集水される膜濾過装置において、仕切板２の上面に膜挿入口２１に対応する膜支持孔６１を備えた膜支持板６が載置され、筒状膜エレメント５は膜支持孔６１を通して膜挿入口２１に挿入設置されることにより係止用鍔部５３が該膜支持板６の上面に係止され、膜挿入口２１に対応する開口部７１を備えた押さえ板７によって係止用鍔部５３と膜支持板６とが仕切板２との間で挟着されており、膜支持板６はそれぞれ複数本の筒状膜エレメント５を含む複数枚に分割されている。【選択図】    図２
2009241041.tif 000002
【特許請求の範囲】
【請求項１】
濾過槽内が多数の膜挿入口を備えた仕切板によって下部の原水室と上部の処理水室とに区画され、前記仕切板の膜挿入口には、前記処理水室側に開口を有すると共に上端に係止用鍔部を有する筒状膜エレメントが、前記処理水室側から前記原水室側に向けて挿入設置されてなり、前記原水室に入った原水が前記筒状膜エレメントにより濾過され、該筒状膜エレメント内を上向流しながら処理水として前記処理水室内に集水される構造を有する膜濾過装置において、
前記仕切板の上面には、該仕切板の膜挿入口に対応する膜支持孔を備えた膜支持板が載置され、前記筒状膜エレメントは、前記膜支持板の膜支持孔を通して前記仕切板の膜挿入口に挿入設置されることにより、前記係止用鍔部が該膜支持板の上面に係止されると共に、前記仕切板の膜挿入口に対応する開口部を備えた押さえ板によって、前記係止用鍔部と前記膜支持板とが前記仕切板との間で挟着されており、
前記膜支持板は、それぞれ複数本の前記筒状膜エレメントを含む複数枚に分割されていることを特徴とする膜濾過装置。
【請求項２】
前記分割された各膜支持板の上面に、該膜支持板を前記仕切板から吊り上げる際に用いられる吊り上げ部が突設されていると共に、前記押さえ板には、前記吊り上げ部に対応する位置に、該吊り上げ部と係合する係合孔が形成されており、前記吊り上げ部と前記係合孔との係合によって前記押さえ板が位置決めされていることを特徴とする請求項１記載の膜濾過装置。
【請求項３】
前記分割された各膜支持板は、それぞれ同一形状であり、各膜支持板は同数で同一配置の前記筒状膜エレメントを含むことを特徴とする請求項１又は２記載の膜濾過装置。
【発明の詳細な説明】
【技術分野】
【０００１】
本発明は膜濾過装置に関し、詳しくは、濾過槽内を区画する仕切板に設置された筒状膜エレメントを、仕切板ごと取り外す必要なく一度に複数本容易に交換できると共に、各筒状膜エレメントの仕切板に対する水密状態を簡単に確保することのできる膜濾過装置に関する。
【背景技術】
【０００２】
従来、濾過槽内が多数の膜挿入口を備えた仕切板によって下部の原水室と上部の処理水室とに区画され、仕切板の膜挿入口に、処理水室側に開口を有する筒状膜エレメントが挿入設置され、原水室に入った原水を膜により濾過して処理水として処理水室内に集水するようになした膜濾過装置が知られている（特許文献１）。
【０００３】
このような膜濾過装置における膜は消耗品であり、３〜５年に一度交換しなくてはならないため、交換可能な構造とされている。
【０００４】
特許文献１では、各筒状膜エレメントの取り付け構造を、ボール受け部を有してワンタッチで仕切板に対して着脱可能な構造とすることで、交換作業の簡便化を図るようにしている。しかし、通常、膜濾過装置には、一基当り百数十本以上もの多数の筒状膜エレメントが設置されるため、その場で１本ずつ交換することは現実的には極めて煩雑な作業となる。特に、汲み上げた海水を処理してバラスト水とするために船舶内に設置される膜濾過装置の場合、狭い船舶内で筒状膜エレメントを１本ずつ交換することは大変な作業が強いられることになる。
【０００５】
また、特許文献１の図１１には、従来技術として、多数の筒状膜エレメントを固定した仕切板ごと濾過槽本体から取り外して交換することが開示されているが、多数の筒状膜エレメントを備えたままの大径且つ重量のある仕切板ごと交換するには、仕切板を吊り上げるための大きな吊り具が必要であり、吊り具の設置スペースの確保を要するばかりでなく、重量のある仕切板が吊り上げ時にふらついて筒状膜エレメントを濾過槽本体等にぶつけたりすると、膜を損傷する危険すらある。
【０００６】
更に、筒状膜エレメントは、原水が処理水室側に漏出しないように、仕切板に対して水密状態を確実に維持して取り付けられなくてはならないが、特許文献１記載のように１本ずつ交換する方法では、いずれか１本でも取り付け状態に不具合があると、その箇所から原水が処理水室側に漏出するおそれがある。これを防ぐには、１本ずつ水密状態を確認しながら取り付け作業しなくてはならず、極めて作業性が悪いものであった。
【特許文献１】特開平５−２４５３１２号公報
【発明の開示】
【発明が解決しようとする課題】
【０００７】
そこで、本発明は、一度に複数本の筒状膜エレメントを仕切板ごと取り外す必要なく容易に交換できると共に、筒状膜エレメントそれぞれの仕切板に対する水密状態を簡単に確保することのできる膜濾過装置を提供することを課題とする。
【０００８】
本発明の他の課題は、以下の記載により明らかとなる。
【課題を解決するための手段】
【０００９】
上記課題は、以下の各発明によって解決される。
【００１０】
（請求項１）
濾過槽内が多数の膜挿入口を備えた仕切板によって下部の原水室と上部の処理水室とに区画され、前記仕切板の膜挿入口には、前記処理水室側に開口を有すると共に上端に係止用鍔部を有する筒状膜エレメントが、前記処理水室側から前記原水室側に向けて挿入設置されてなり、前記原水室に入った原水が前記筒状膜エレメントにより濾過され、該筒状膜エレメント内を上向流しながら処理水として前記処理水室内に集水される構造を有する膜濾過装置において、
前記仕切板の上面には、該仕切板の膜挿入口に対応する膜支持孔を備えた膜支持板が載置され、前記筒状膜エレメントは、前記膜支持板の膜支持孔を通して前記仕切板の膜挿入口に挿入設置されることにより、前記係止用鍔部が該膜支持板の上面に係止されると共に、前記仕切板の膜挿入口に対応する開口部を備えた押さえ板によって、前記係止用鍔部と前記膜支持板とが前記仕切板との間で挟着されており、
前記膜支持板は、それぞれ複数本の前記筒状膜エレメントを含む複数枚に分割されていることを特徴とする膜濾過装置。
【００１１】
（請求項２）
前記分割された各膜支持板の上面に、該膜支持板を前記仕切板から吊り上げる際に用いられる吊り上げ部が突設されていると共に、前記押さえ板には、前記吊り上げ部に対応する位置に、該吊り上げ部と係合する係合孔が形成されており、前記吊り上げ部と前記係合孔との係合によって前記押さえ板が位置決めされていることを特徴とする請求項１記載の膜濾過装置。
【００１２】
（請求項３）
前記分割された各膜支持板は、それぞれ同一形状であり、各膜支持板は同数で同一配置の前記筒状膜エレメントを含むことを特徴とする請求項１又は２記載の膜濾過装置。
【発明の効果】
【００１３】
本発明によれば、一度に複数本の筒状膜エレメントを仕切板ごと取り外す必要なく容易に交換できると共に、各筒状膜エレメントの仕切板に対する水密状態を簡単に確保することのできる膜濾過装置を提供することができる。
【発明を実施するための最良の形態】
【００１４】
以下、本発明の実施の形態について図面を用いて説明する。
【００１５】
図１は本発明に係る膜濾過装置の一例を示す概略断面図である。
【００１６】
図中、１は濾過槽であり、円筒竪型に形成されることが好ましく、上端にフランジ１１ａを有する原水槽１１と、下端にフランジ１２ａを有する処理水槽１２とに上下に分割されている。原水槽１１には原水の供給口１１ｂが設けられ、処理水槽１２には処理水の排出口１２ｂが設けられている。
【００１７】
原水槽１１と処理水槽１２との間には仕切板２が設けられている。仕切板２は、原水槽１１と処理水槽１２の各フランジ１１ａ、１２ａと同程度の外径を有する円板状であり、各フランジ１１ａ、１２ａの間に挟持されている。濾過槽１は、フランジ１１ａ、仕切板２及びフランジ１２ａとが一体にボルト止めされることによって構築され、これにより、濾過槽１の内部は、仕切板２によって下部の原水室３と上部の処理水室４とに区画される。
【００１８】
仕切板２には多数の膜挿入口２１が開設されており、各膜挿入口２１にそれぞれ筒状膜エレメント５が挿入され、原水室３の内部に向けて吊り下げ状に設置されている。６は膜支持板、７は押さえ板である。
【００１９】
次に、図２〜図５を用いて、筒状膜エレメント５の取り付け部の構造について説明する。
【００２０】
図２は一つの筒状膜エレメント５の取り付け部を拡大した断面図、図３は仕切板２の平面図、図４は膜支持板６の平面図、図５は押さえ板７の平面図である。
【００２１】
筒状膜エレメント５は、例えばポリエチレン等の樹脂によって形成された多孔製の円筒形の支持体５１と、該支持体５１の外周に被覆され袋状に形成された、例えば精密濾過膜等からなる濾過膜５２によって構成されている。支持体５１の上部は処理水室４に処理水を送液可能なように、該処理水室４側に向けて開口する上部開口５１ａを有している。
【００２２】
支持体５１の上端には係止用鍔部５３が周設されており、この係止用鍔部５３によって原水室３内に吊り下げ状に支持されている。
【００２３】
膜支持板６は、仕切板２の各膜挿入口２１に対応する位置にそれぞれ膜支持孔６１を有しており、各膜支持孔６１の位置を仕切板２の各膜挿入口２１に一致させて、仕切板２の上面に載置されている。筒状膜エレメント５は、この膜支持板６の側から、膜支持孔６１及び膜挿入口２１を通って原水室３に向けて挿入されることで、その係止用鍔部５３が膜支持板６の上面に係止されている。従って、原水室３に入った原水は、筒状膜エレメント５により濾過され、該筒状膜エレメント５内を上向流しながら、処理水として上部開口５１ａから処理水室４内に集水される。
【００２４】
膜支持板６は、全体として仕切板２と同様の円板状に形成されているが、複数枚に分割されていることが特徴であり、ここではそれぞれ平面視扇型をした４枚の膜支持板６Ａ〜６Ｄに分割され、この４枚が組み合わさって全体として仕切板２と同様の円形状をなしている。各膜支持板６Ａ〜６Ｄは、それぞれ複数本の筒状膜エレメント５を含むように形成されている。
【００２５】
押さえ板７は、仕切板２の各膜挿入口２１に対応する位置にそれぞれ処理水流路となる開口部７１を有しており、各開口部７１の位置を各筒状膜エレメント５の上部開口５１ａに一致させて、膜支持板６の上面に係止された筒状膜エレメント５の係止用鍔部５３の上面に載置されている。開口部７１の大きさは、筒状膜エレメント５の係止用鍔部５３の外径よりも小さく形成され、好ましくは筒状膜エレメント５の上部開口５１ａと同一径とされる。
【００２６】
なお、押さえ板７の取り外し作業の便宜のため、その上面には、図示しないが、濾過槽１から上方に吊り上げるための吊り輪等を形成しておくことが好ましい。
【００２７】
これら仕切板２、膜支持板６及び押さえ板７には、それぞれ適宜数のボルト孔２２、６２、７２が形成されており、ボルト８によって一体に締付け固定されている。これにより、各筒状膜エレメント５は、その係止用鍔部５３が、押さえ板７によって上面から押し付けられ、仕切板２に対して固定される。仕切板２のボルト孔２２は、図示したように貫通させないでおくと、該部から原水が漏出するおそれがなく、水密を考慮する必要がないために好ましい。
【００２８】
また、膜支持板６及び押さえ板７も、仕切板２と同時にフランジ１１ａと１２ａとの間に一体に挟着する構成としてもよい。
【００２９】
図２において、９はＯリングであり、仕切板２の膜挿入口２１の内周面に設けられ、仕切板２と筒状膜エレメント５との間を水密状にシールしている。Ｏリング９は、上下に２つ設けられているが、その数及び配置構成は特に問わない。また、膜支持板６の膜支持孔６１の内周面及びその周囲にゴムライニング等を施すことにより、押さえ板７によって締付けられた際に、この膜支持孔６１の周辺を水密状に保持できるようにすることも好ましい。
【００３０】
かかる膜濾過装置によれば、筒状膜エレメント５を交換する必要がある場合、処理水槽１２を取り外し、ボルト８を外して押さえ板７を取り外せば、各筒状膜エレメント５は、複数分割された膜支持板６の上面に係止用鍔部５３が載置されて係止されているだけの状態となる。従って、図６に示すように、分割された膜支持板６Ａ〜６Ｄ単位で、該膜支持板６Ａ〜６Ｄごと仕切板２から離脱させることができる。分割された各膜支持板６Ａ〜６Ｄには、それぞれ複数本の筒状膜エレメント５が吊り下げ支持されているため、仕切板２ごと交換する必要なく、一度に複数本の筒状膜エレメント５を取り外して交換作業を行うことができる。しかも、交換は各膜支持板６Ａ〜６Ｄ単位で行え、仕切板２ごと交換する必要がないので、船舶内等の狭いスペースであっても作業が可能である。
【００３１】
また、全ての筒状膜エレメント５は、１枚の押さえ板７によって上面から押さえつけられ、仕切板２との間で同時に挟着されるため、各筒状エレメント５の取り付け状態を均一にすることができる。従って、各筒状膜エレメント５の取り付け状態を個々に厳密に管理する必要がなく、各筒状膜エレメント５の仕切板２に対する水密状態を簡単に確保することができる。
【００３２】
更に、膜支持板６及び押さえ板７は、濾過時に原水室３側に発生する圧力を受ける必要がなく、仕切板２に比べて高い強度を有する必要はないため、例えばステンレス板等の比較的軽い材質によって形成することができる。従って、筒状膜エレメント５の交換作業も比較的軽作業で済み、重労働とはならない。
【００３３】
なお、ここでは円形の膜支持板６を放射状の分割線によって扇型に分割形成したものを示したが、分割形態は特に問わず、様々な形状に分割することができる。例えば、図７に示すように、円形の膜支持板６を縦横の分割線よって分割形成するようにしてもよい。縦又は横のみの分割線によって膜支持板６を短冊状に分割形成することもできる。
【００３４】
また、膜支持板６は、全体として仕切板２と同様の円板状とするものに限らない。従って、膜支持板６をそれぞれ多角形状に複数枚に分割することもできる。図８はそれぞれ六角形状に複数分割した膜支持板６の態様を示している。
【００３５】
図４や図８のような態様では、複数枚に分割された各膜支持板６は全て同一形状に形成されている。この場合、各膜支持板６がそれぞれ同数で同一配置の筒状膜エレメント５を含むものとすれば、膜支持板６は仕切板２に対する取り付け位置を問わず、交換作業をより簡易にできると共に、１種類の形状の膜支持板６を用意するだけでよいため、メンテナンス及び製造コストの面でも好ましい。この態様では、各膜支持板６は、全ての筒状膜エレメント５の数を分割数で割った数の筒状膜エレメント５をそれぞれ含むことになる。
【００３６】
図９、図１０は、膜支持板６及び押さえ板７の他の好ましい態様を示している。図９は分割された１枚の膜支持板６と押さえ板７の部分斜視図であり、仕切板２は図示省略している。図１０は取り付け状態の断面図である。ここでは、膜支持板６は図４及び図６に示したものと同様の扇型に４分割した態様を示しているが、他の形状でも構わない。
【００３７】
この態様に示す膜支持板６の上面には、膜支持板６を筒状膜エレメント５を取り付けたまま仕切板２から吊り上げて取り出す際に、図示しない取り出し用治具等のフックを引っ掛けるために利用される吊り上げ部６３を有している。吊り上げ部６３は、フックを引っ掛けるための輪状の吊り輪部６３ａと、膜支持板６の上面に所定高さで突設された円錐台形状の基部６３ｂとを有しており、この基部６３ｂの上面に吊り輪部６３ａが突設されている。
【００３８】
一方、押さえ板７には、吊り上げ部６３に対応する位置に、この吊り上げ部６３と係合するための係合孔７３が形成されている。係合孔７３の大きさは、膜支持板６の上面から突出する基部６３ｂが嵌合し得るように、該基部６３ｂの外径とほぼ同一径に形成されている。
【００３９】
基部６３ｂの突出高さは、膜支持板６の上面に支持された筒状膜エレメント５の係止用鍔部５３の膜支持板６上面からの突出高さよりも高く、従って、筒状膜エレメント５を支持している膜支持板６の上面に押さえ板７が載置された際に、その押さえ板７の係合孔７３に嵌まって係合し得る程度の高さを有している。
【００４０】
この態様によれば、押さえ板７を取り外すと、各膜支持板６の上面にそれぞれ吊り輪部６３ａが突出しているので、図示しない取り出し用治具等のフックを引っ掛けて、分割された各膜支持板６単位で上方に引き抜けば、各膜支持板６の取り外しが容易に行える。
【００４１】
しかも、押さえ板７は、膜支持板６の上面に載置して水平方向に回転させれば、係合孔７３が吊り上げ部６３と係合することにより、膜支持板６に対して位置決めされる。これにより、押さえ板７の各開口部７１と各筒状膜エレメント５の上部開口５１ａとの間、各ボルト孔６２、７２の間もそれぞれ同時に位置決めされるようになるので、膜支持板６の吊り上げ部６３と押さえ板７の係合孔７３との係合構造は、押さえ板７の各開口部７１と各筒状膜エレメント５の上部開口５１ａとの間の位置決めを兼用することができる。従って、押さえ板７を取り付ける際の位置決め作業も簡易に行えるようになる。
【００４２】
この態様に示す吊り上げ部６３は、係合孔７３と係合する平面視円形の基部６３ｂを有しているが、吊り上げ部６３及びこれに対応する係合孔７３は、平面視で開口部７１と異なる大きさ、異なる形状に形成することで、構造的に吊り上げ部６３が開口部７１と間違って係合することがないようにすることが好ましい。
【００４３】
また、吊り上げ部６３は基部６３ｂを設けず、吊り輪部６３ａ自体の突出高さを高く形成することで、膜支持板６の表面に吊り輪部６３ａ部分だけが突設されるようにしてもよく、この場合は、押さえ板７の係合孔７３の形状は、吊り輪部６３ａを挿通可能な長孔形状とされ、開口部７１とは異なる形状となる。
【００４４】
膜支持板６の吊り上げ部６３の数は、膜支持板６を安定して吊り上げ可能となるように適宜複数設けることもでき、押さえ板７の係合孔７３の数もそれに対応して設けられる。
【００４５】
なお、吊り上げ部６３の構造は、輪状の吊り輪部６３ａを利用するものに限らず、複数の筒状膜エレメント５を支持した状態の膜支持板６を仕切板２から上方に吊り上げて取り外すことができれば任意の構造を用いることができる。
【図面の簡単な説明】
【００４６】
【図１】本発明に係る膜濾過装置の一例を示す概略断面図
【図２】一つの筒状膜エレメントの取り付け部を拡大した断面図
【図３】仕切板の平面図
【図４】膜支持板の平面図
【図５】押さえ板の平面図
【図６】筒状膜エレメントの交換作業を説明する斜視図
【図７】膜支持板の他の分割態様を示す平面図
【図８】膜支持板の更に他の分割態様を示す平面図
【図９】膜支持板及び押さえ板の他の好ましい態様を示す分割された１枚の膜支持板と押さえ板の部分斜視図
【図１０】膜支持板及び押さえ板の他の好ましい態様を示す取り付け状態の断面図
【符号の説明】
【００４７】
１：濾過槽
１１：原水槽
１１ａ：フランジ
１１ｂ：原水供給口
１２：処理水槽
１２ａ：フランジ
１２ｂ：処理水排出口
２：仕切板
２１：膜挿入口
２２：ボルト孔
３：原水室
４：処理水室
５：筒状膜エレメント
５１：支持体
５１ａ：上部開口
５２：濾過膜
５３：係止用鍔部
６、６Ａ〜６Ｄ：膜支持板
６１：膜支持孔
６２：ボルト孔
６３：吊り上げ部
６３ａ：吊り輪部
６３ｂ：基部
７：押さえ板
７１：開口部
７２：ボルト孔
７３：係合孔
【図１】
2009241041.tif 000003
【図２】
2009241041.tif 000004
【図３】
2009241041.tif 000005
【図４】
2009241041.tif 000006
【図５】
2009241041.tif 000007
【図６】
2009241041.tif 000008
【図７】
2009241041.tif 000009
【図８】
2009241041.tif 000010
【図９】
2009241041.tif 000011
【図１０】
2009241041.tif 000012